(57)【要約】【課題】本発明は、裁断経験や熟練した裁断技術を有していなくても袈裟用表生地を製造することができる袈裟用表生地及びその製造方法を提供する。【解決手段】袈裟用表生地１０は広幅織機を使用して最初から巾寸法Ａが１５０ｃｍ、長さ寸法Ｂが２４０ｃｍ、の矩形状に織られている。前記袈裟用表生地１０の中央部には矩形状柄部１２が形成されている。前記矩形状柄部１２の４辺には矩形状柄部１２を囲んで枠柄部１４が連続形成されている。前記矩形状柄部１２は七列形成された台中帯状柄部１６と、台中帯状柄部１６と台中帯状柄部１６の間に形成された六列の台中帯状柄部連結柄部１８と、から形成されている。【選択図】図１
2017089030.tif 000002
【特許請求の範囲】
【請求項１】
袈裟に使用されると共に織機で織られて成る袈裟用表生地であって、
前記袈裟用表生地の中央部に形成された矩形状柄部と、前記矩形状柄部を囲むように形成された枠柄部と、前記矩形状柄部を構成すると共に間隔を配して描かれた複数の台中帯状柄部と、前記台中帯状柄部と前記矩形状柄部を構成すると共に前記台中帯状柄部と前記台中帯状柄部の間に形成された台中帯状柄部連結柄部と、有してなることを特徴とする袈裟用表生地。
【請求項２】
袈裟に使用されると共に織り巾が１５０ｃｍまで織ることができる広幅織機で織られて成る矩形状の袈裟用表生地であって、
前記袈裟用表生地の中央部に形成された矩形状柄部と、前記矩形状柄部の４辺に矩形状柄部を囲むように形成された枠柄部と、前記矩形状柄部を構成すると共に間隔を配して描かれた複数の台中帯状柄部と、前記台中帯状柄部と前記矩形状柄部を構成すると共に前記台中帯状柄部と前記台中帯状柄部の間に形成された台中帯状柄部連結柄部と、有してなることを特徴とする袈裟用表生地。
【請求項３】
袈裟に使用される袈裟用表生地の製造方法であって、
製造しようとする袈裟用表生地の柄の図案を作成し、この図案をデータ化して織り巾が１５０ｃｍまで織ることができる広幅織機にデータ化した前記図案を取り込み、前記広幅織機で矩形状柄部と枠柄部が形成された前記袈裟用表生地を織ることを特徴とする袈裟用表生地の製造方法。
【請求項４】
袈裟に使用される袈裟用表生地の製造方法であって、
製造しようとする袈裟用表生地の柄の図案を作成し、この図案をスキャナーで読み取ると共に情報記録媒体に取り込み、この情報記録媒体を織り巾が１５０ｃｍまで織ることができる広幅織機のコンピューター装置にセットし、前記広幅織機で矩形状柄部と枠柄部が形成された前記袈裟用表生地を織ることを特徴とする袈裟用表生地の製造方法。
【請求項５】
前記矩形状柄部は、間隔を配して描かれた複数の台中帯状柄部と、前記台中帯状柄部と前記矩形状柄部を構成すると共に前記台中帯状柄部と前記台中帯状柄部の間に形成された台中帯状柄部連結柄部と、から形成されたことを特徴とする請求項３又は請求項４のいずれか１項に記載の袈裟用表生地の製造方法。
【発明の詳細な説明】
【技術分野】
【０００１】
本発明は、主に僧侶が着用する袈裟に使用される袈裟用表生地と、この袈裟用表生地を製造する袈裟用表生地の製造方法に関する。
【背景技術】
【０００２】
僧侶や在家信者等が着用する法衣としての袈裟が古くから知られているが、この袈裟には宗派や袈裟の種類等によって輪袈裟、五條袈裟、七條袈裟、九條袈裟、半袈裟をはじめとして種々のタイプがある（例えば非特許文献１）。
これらの袈裟に使用される袈裟用生地は、袈裟の表側に位置する袈裟用表生地と、この袈裟用表生地の裏に配される袈裟用裏生地と、を重ね合わせて形成されている。
前記七條袈裟に使用される袈裟用表生地及びその製造方法の一例を図３、図４に基づいて説明する。
図３に示されるように、袈裟用表生地１は、金糸等で刺繍による第１の柄が表された台中用生地を裁断して形成された台中２（図３において無模様で示す）と、金糸等で刺繍による第２の柄が表された縁用生地を裁断して形成された縁構成片３（図３においてドット模様で示す）と、をパッチワークのように縫い合わせて巾寸法（図３矢印Ａ方向）が１５０ｃｍで、長さ寸法（矢印Ｂ方向）が２４０ｃｍの大きさに形成されている。
前記袈裟用表生地１の中央部には矩形状部１Ａが設けられ、この矩形状部１Ａの周囲に矩形状部１Ａを囲むように枠部１Ｂが設けられている。
七條袈裟に使用される前記袈裟用表生地１においては、長さ方向（図３矢印Ｂ方向）に沿って台中帯状体４が七列並べられていると共に台中帯状体４と台中帯状体４の間に台中帯状体連結体５が配され、前記台中帯状体４と前記台中帯状体連結体５を互いに縫い合わせることにより前記矩形状部１Ａが形成されている。
前記台中帯状体４は複数の前記台中２と複数の前記縁構成片３を帯状に縫い合わせて形成され、前記台中帯状体連結体５は長い前記縁構成片３で形成されている。
また、前記枠部１Ｂは長い前記縁構成片３を矩形状部１Ａの４辺に縫い付けて形成されている。
図４には前記袈裟用表生地１を製造する場合の工程図が示されている。
最初に織り巾寸法が３５ｃｍ又は７０ｃｍの織機を使用して織り巾寸法が３５ｃｍ又は７０ｃｍで、適宜長さの台中用生地を織る。別途に織り巾寸法が３５ｃｍ又は７０ｃｍの織機を使用して織り巾寸法が３５ｃｍ又は７０ｃｍで、適宜長さの縁用生地を織る。
そして、袈裟の出来上がりの柄の荘厳性等を想定しながら前記台中用生地を裁断して大きさや形の異なる台中２を複数形成する。同様に、袈裟の出来上がりの柄を荘厳性等を想定しながら前記縁用生地を裁断して大きさや形の異なる縁構成片３を複数形成する。
次に、前記台中２と短い縁構成片３を複数枚縫い合わせて台中帯状体４を７本形成する。また、長い縁構成片３を選択して台中帯状体連結体５を６本形成する。
そして、７本の台中帯状体４と６本の台中帯状体連結体５を縫い合わせて、前記矩形状部１Ａを形成する。
最後に、前記矩形状部１Ａの周囲に長い縁構成片３を縫い付けて前記枠部１Ｂを形成することにより、巾寸法（図３矢印Ａ方向）が１５０ｃｍで長さ寸法（図３矢印Ｂ方向）が２４０ｃｍの大きさの袈裟用表生地１を製造する。
【先行技術文献】
【非特許文献】
【０００３】
【非特許文献１】袈裟の案内（ｈｔｔｐｓ：／／ｓｕｚｕｋｉｈｏｕｉｔｅｎ．ｊｐ）
【発明の概要】
【発明が解決しようとする課題】
【０００４】
しかしながら、前記台中用生地や前記縁用生地を裁断して大きさや形の異なる複数の台中２や縁構成片３を形成する裁断技術は、出来上がった袈裟に想定した柄が表れるか否かに大きく影響すると共に台中用生地、縁用生地から無駄な端切れ生地を出すのを防ぐことに大きく影響するため、長年の裁断経験と優れた裁断技術を有する熟練職人が行う必要がある。
この結果、長年の裁断経験と優れた裁断技術を有する熟練職人が少なくなりつつある現代においては、袈裟の生産効率が低下すると共に袈裟の提供価格が高くなるという不具合がある。
また、裁断された台中２、縁構成片３をパッチワークのように縫い合わせて袈裟用表生地１を形成するため、縫う作業や二重縫い等で手間と時間がかかり製造効率がよくないという不具合がある。
【課題を解決するための手段】
【０００５】
本発明は上記の如き実情に鑑みこれらの課題を解決することを目的として創作されたものであって、請求項１の発明は、袈裟に使用されると共に織機で織られて成る袈裟用表生地であって、
前記袈裟用表生地の中央部に形成された矩形状柄部と、前記矩形状柄部を囲むように形成された枠柄部と、前記矩形状柄部を構成すると共に間隔を配して描かれた複数の台中帯状柄部と、前記台中帯状柄部と前記矩形状柄部を構成すると共に前記台中帯状柄部と前記台中帯状柄部の間に形成された台中帯状柄部連結柄部と、有してなることを特徴としている。
請求項２の発明は、袈裟に使用されると共に織り巾が１５０ｃｍまで織ることができる広幅織機で織られて成る矩形状の袈裟用表生地であって、
前記袈裟用表生地の中央部に形成された矩形状柄部と、前記矩形状柄部の４辺に矩形状柄部を囲むように形成された枠柄部と、前記矩形状柄部を構成すると共に間隔を配して描かれた複数の台中帯状柄部と、前記台中帯状柄部と前記矩形状柄部を構成すると共に前記台中帯状柄部と前記台中帯状柄部の間に形成された台中帯状柄部連結柄部と、有してなることを特徴としている。
請求項３の発明は、袈裟に使用される袈裟用表生地の製造方法であって、
製造しようとする袈裟用表生地の柄の図案を作成し、この図案をデータ化して織り巾が１５０ｃｍまで織ることができる広幅織機にデータ化した前記図案を取り込み、前記広幅織機で矩形状柄部と枠柄部が形成された前記袈裟用表生地を織ることを特徴としている。
請求項４の発明は、袈裟に使用される袈裟用表生地の製造方法であって、
製造しようとする袈裟用表生地の柄の図案を作成し、この図案をスキャナーで読み取ると共に情報記録媒体に取り込み、この情報記録媒体を織り巾が１５０ｃｍまで織ることができる広幅織機のコンピューター装置にセットし、前記広幅織機で矩形状柄部と枠柄部が形成された前記袈裟用表生地を織ることを特徴としている。
請求項５の発明は、前記矩形状柄部は、間隔を配して描かれた複数の台中帯状柄部と、前記台中帯状柄部と前記矩形状柄部を構成すると共に前記台中帯状柄部と前記台中帯状柄部の間に形成された台中帯状柄部連結柄部と、から形成されたことを特徴としている。
【発明の効果】
【０００６】
本発明の袈裟用表生地は、表れる柄全体を織って形成されているので長年の裁断経験や熟練した裁断技術を有していなくても袈裟用表生地を効率よく製造することができるという優れた効果を有する。
本発明の袈裟用表生地は、従来のように裁断作業やパッチワークのように縫い合わせる縫製作業が必要ないので作業手間や作業時間を短縮することができるという優れた効果を有する。
本発明の袈裟用表生地は、一枚の織物で形成されているためシャープなイメージや斬新なイメージを需要者、取引者に与えることができるという優れた効果を有する。
本発明の袈裟用表生地の製造方法は、長年の裁断経験や熟練した裁断技術を備えていなくても袈裟用表生地を製造することができるという優れた効果を有する。
本発明の袈裟用表生地の製造方法は、袈裟用表生地を効率よく製造することができると共に提供価格を抑えることができるという優れた効果を有する。
【図面の簡単な説明】
【０００７】
【図１】実施例の袈裟用表生地の正面図である。
【図２】実施例の袈裟用表生地の製造方法を示す製造工程図である。
【図３】従来の袈裟用表生地の正面図である。
【図４】従来の袈裟用表生地の製造方法を示す製造工程図である。
【発明を実施するための形態】
【０００８】
発明を実施するために最良の形態の例として以下のような実施例を示す。
【実施例１】
【０００９】
図１には本発明に係るこの袈裟用表生地の一実施例が示されている。なお、この実施例では七條袈裟に使用される袈裟用生地の袈裟用表生地を例にして説明する。
前記袈裟生地は、袈裟生地の表に位置する袈裟用表生地と、この袈裟用表生地の裏側に位置する袈裟用裏生地と、を重ね合わせて形成されている。
【００１０】
図１に示されるように、本発明の袈裟用表生地１０は織り巾が１５０ｃｍまで織ることができる広幅織機を使用して、最初から袈裟生地の寸法である巾寸法Ａが１５０ｃｍ、長さ寸法Ｂが２４０ｃｍ、の一枚の矩形状に最初から織られている。
【００１１】
前記袈裟用表生地１０の中央部には矩形状柄部１２が形成されている。また、この矩形状柄部１２の４辺には矩形状柄部１２を囲んで枠柄部１４が連続形成されている。
【００１２】
前記矩形状柄部１２は図１の長さ方向（図１矢印Ｂ方向）に沿って七列形成された台中帯状柄部１６と、台中帯状柄部１６と台中帯状柄部１６の間に形成された六列の台中帯状柄部連結柄部１８と、から形成されている。
【００１３】
前記台中帯状柄部１６は複数の台中柄部２０と複数の縁柄部２２を組み合わせて形成されている。これに対し、この実施例では台中帯状柄部連結柄部１８は単一の縁柄部２２で形成されている。
【００１４】
従って、実施例の袈裟用表生地１０は織り巾が１５０ｃｍまで織ることができる広幅織機を使用することにより、最初から矩形状柄部１２及び枠柄部１４が形成された一枚の状態で一度に織られている。
【００１５】
このため、従来の袈裟用表生地のように広幅織機でない織機で第１の柄の台中用生地と第２の柄の縁用生地をそれぞれ別途に織り、織られた台中用生地を裁断して台中を形成すると共に織られた縁用生地を裁断して縁形成片を形成する必要がない。
【００１６】
また、裁断して形成された複数の台中と裁断して形成された複数の縁形成片をパッチワークのように縫い合わせて袈裟用表生地を製造する必要がない。
【００１７】
この結果、本発明の袈裟用表生地１０は、長年の裁断経験や優れた裁断技術を有する熟練職人でなくても製造することができるので、袈裟用表生地１０の生産効率を向上させることができると共に提供価格を抑えることができる。
【００１８】
また、本発明の袈裟用表生地１０は、裁断された台中、縁形成片をパッチワークのように縫い合わせて形成する必要が無いので、縫う手間や二重縫い等を不要にすることができる。
【００１９】
なお、本発明の袈裟用表生地１０は、手縫いやミシン縫い等の縫い目のない一枚の織物生地で形成されているので、袈裟用表生地１０を見た需要者、取引者に対し従来の袈裟用表生地にはないシャープで斬新なイメージを与えることができる。
【００２０】
次に、前記袈裟用表生地１０の製造方法を説明する。
図２に示されるように、最初に、製造しようとする袈裟用表生地１０の柄の図案をデザイン、作成する。
【００２１】
作成した図案をスキャナーで読み取り、情報記録媒体としてのフロッピーディスクに取り込む。
【００２２】
次に、フロッピーディスクを織り巾が１５０ｃｍまで織ることができる広幅織機に設けられているコンピューター装置にセットする。
【００２３】
そして、前記広巾織機に配設された絹糸、金糸等で織ることにより台中帯状柄部１６と台中帯状柄部連結柄部１８から構成された矩形状柄部１２、複数の縁柄部２２から構成された枠柄部１４が表された前記袈裟用表生地１０を製造する。
【００２４】
従って、本発明の袈裟用表生地の製造方法によれば、前記広幅織機による織り作業で台中帯状柄部１６と台中帯状柄部連結柄部１８から構成された矩形状柄部１２、複数の縁柄部２２から構成された枠柄部１４、を有する袈裟用表生地１０を一度に製造することができる。
【００２５】
この結果、本発明の袈裟用表生地の製造方法では、従来の袈裟用表生地を製造する場合のように台中用生地と縁用生地を別途に織る必要がない。
【００２６】
また、台中用生地と縁用生地を出来上がった袈裟に表れる柄を想定して台中用生地、縁用生地を裁断する必要がない。
【００２７】
この結果、長年の裁断経験と優れた裁断技術を有する熟練職人でなくても袈裟用表生地を製造することができるので、袈裟の生産効率が低下することを防止すると共に袈裟の提供価格が高くなることを防止できる。
【００２８】
また、本発明の袈裟用表生地の製造方法では１５０ｃｍまで織ることができる広幅織機を使用して最初から袈裟生地の寸法に織ることができるので、裁断された台中、縁構成片をパッチワークのように縫い合わせる必要が無いので製造手間を省くことができると共に製造時間を大幅に短縮することができる。
【００２９】
なお、実施例では袈裟用表生地１０を巾寸法Ａが１５０ｃｍ、長さ寸法Ｂが２４０ｃｍの大きさに袈裟用表生地１０を織ったが、織る袈裟用表生地１０の寸法は実施例に限定されるものでないことは勿論である。
【００３０】
なお、前記台中柄部２０と前記縁柄部２２の柄は図１に示される柄に限定されないことは勿論である。
【００３１】
なお、実施例では七條袈裟に使用される袈裟用表生地１０を例に説明したので、長さ方向（図１矢印Ｂ方向）に沿って台中帯状柄部１６を七列示したが、九條袈裟に使用される袈裟用表生地１０の場合は台中帯状柄部１６は九列、五條袈裟に使用される袈裟用表生地１０の場合は台中帯状柄部１６は五列、というように台中帯状柄部１６の数は実施例に限定されるものでないことは勿論である。
【００３２】
また、実施例では七條袈裟に使用される袈裟用表生地１０を示したが、前記袈裟用表生地１０は七條袈裟の使用に限定されるものでなく、輪袈裟、五條袈裟、九條袈裟、半袈裟をはじめとして種々のタイプの袈裟に使用してもよいことは勿論である。
【００３３】
なお、実施例では情報記録媒体としてフロッピーディスクを示したが、情報記録媒体はフロッピーディスクに限定されるものでなく、ＵＳＢメモリ等の他の情報記録媒体でもよいことは勿論である。
【符号の説明】
【００３４】
１０    袈裟用表生地
１２    矩形状柄部
１４    枠柄部
１６    台中帯状柄部
１８    台中帯状柄部連結柄部
２０    台中柄部
２２    縁柄部
【図１】
2017089030.tif 000003
【図２】
2017089030.tif 000004
【図３】
2017089030.tif 000005
【図４】
2017089030.tif 000006